(57)【要約】【課題】簡易な構成で的確に電源故障を知らせることができる電源故障表示装置を提供する。【解決手段】電圧監視回路１が正常を検出した場合、フォトカプラ２の出力がショートになり抵抗器４からの電流がフォトカプラ２に流れる。このためＬＥＤ３は消灯（正常）となる。さらにデジタルトランジスタ５もオフとなり正常を通知する。電圧監視回路１が異常を検出した場合、フォトカプラ２の出力がオープンになり抵抗器４からの電流はＬＥＤ３に流れ異常を表示する。さらにデジタルトランジスタ５に電流が流れオンとなり外部に異常を通知する。電源オフを指示するマスク信号が供給されると、トランジスタ６がオンとなりフォトカプラ２の出力がオープンであっても抵抗器４からの電流はトランジスタ６に流れる。この動作により、ＬＥＤ３には電流が流れず消灯（正常）となる。さらにデジタルトランジスタ５もオフとなり正常を通知する。【選択図】図１
2009112074.tif 000002
【特許請求の範囲】
【請求項１】
電源モジュールの出力電圧が正常であるか否かを監視する電圧監視回路と、
前記電圧監視回路に接続され、前記電圧監視回路が正常を検知した場合に電流供給端をショートにし、前記電圧監視回路が異常を検知した場合に前記電流供給端をオープンにするスイッチ手段と、
前記スイッチ手段の両端に接続され、前記電流供給端がオープン状態の場合に発光する発光素子と、
前記スイッチ手段に接続され、前記電流供給端がオープン状態の場合に電源異常を外部に通知する通知手段と、
前記電源モジュールの電源オフを指示するマスク信号に基づいて、前記電流供給端のオープン状態を解除するマスク手段と
を具備することを特徴とする電源故障表示装置。
【請求項２】
前記スイッチ手段は、フォトカプラであることを特徴とする請求項１記載の電源故障表示装置。
【発明の詳細な説明】
【技術分野】
【０００１】
この発明は、電源の故障を表示する電源故障表示装置に関する。
【背景技術】
【０００２】
電源装置には、電源の故障を監視するための電圧監視回路が設けられている。この電圧監視回路は電源の出力電圧に接続され、過電圧、電圧低下を検出し、外部に故障を通知する機能を有する。
【０００３】
このような電圧監視回路は、出力電圧毎に設けるため適用数が多い。そのため、電源が故障した場合、出力電圧毎の故障がわかるように出力電圧毎に表示装置を設けて、故障している電圧を特定する。表示装置は、交換する電源ユニットが特定できるよう出力電圧毎に構成された電源ユニットのパネル面に設けてある。
【０００４】
また、一般的に電源装置には外部からの電源出力オフ回路が設けられている。出力オフの場合、故障ではないにもかかわらず電圧監視回路が電圧低下を検出するため故障通知と表示装置のマスクを行っている。
【０００５】
なお、本願に関連する公知文献としては、例えば次のようなものがある。
【特許文献１】特開平４−１７２５３９号公報
【発明の開示】
【発明が解決しようとする課題】
【０００６】
ところが、故障通知と表示装置をマスクするには、電源ユニット毎にマスク信号を伝送する必要がありさらに、電源ユニット毎にマスク回路を設ける必要がある。このため、部品数が増え、装置が複雑化かつ大型化してしまうという問題がある。
【０００７】
この発明は上記事情に着目してなされたもので、その目的とするところは、簡易な構成で的確に電源故障を知らせることができる電源故障表示装置を提供することにある。
【課題を解決するための手段】
【０００８】
上記目的を達成するためにこの発明に係る電源故障表示装置は、電源モジュールの出力電圧が正常であるか否かを監視する電圧監視回路と、前記電圧監視回路に接続され、前記電圧監視回路が正常を検知した場合に電流供給端をショートにし、前記電圧監視回路が異常を検知した場合に前記電流供給端をオープンにするスイッチ手段と、前記スイッチ手段の両端に接続され、前記電流供給端がオープン状態の場合に発光する発光素子と、前記スイッチ手段に接続され、前記電流供給端がオープン状態の場合に電源異常を外部に通知する通知手段と、前記電源モジュールの電源オフを指示するマスク信号に基づいて、前記電流供給端のオープン状態を解除するマスク手段とを具備することを特徴とする。
【０００９】
上記構成による電源故障表示装置によれば、電圧監視回路が正常を検知した場合には発光素子及び通知手段に電流が流れないため、発光素子は消灯し、通知手段による故障通知は行われない。一方、電圧監視回路が異常を検知した場合には発光素子及び通知手段に電流が流れるため、発光素子は発光し、通知手段は電源異常を通知する。さらに、マスク信号に応じて電流供給端のオープン状態を解除することで、発光素子及び通知手段に電流が流れないようにする。このように構成することより、少ない部品で故障の表示、故障の通知、及び異常のマスクを行うことが可能となる。
【発明の効果】
【００１０】
したがってこの発明によれば、簡易な構成で的確に電源故障を知らせることができる電源故障表示装置を提供することができる。
【発明を実施するための最良の形態】
【００１１】
以下、図面を参照しながら本発明の実施の形態を詳細に説明する。  
図１は本発明の一実施形態に係る電源故障表示装置の構成を示す回路図である。  
電源故障表示装置は、電圧監視回路１、フォトカプラ２、ＬＥＤ（Light Emitting Diode）３、抵抗器４、デジタルトランジスタ５、トランジスタ６、及びＤＣ／ＤＣコンバータ７を備える。なお、ＤＣ／ＤＣコンバータ７、電圧監視回路１、フォトカプラ２、ＬＥＤ３は、電源ユニット内に配置される。
【００１２】
同図において、ＤＣ／ＤＣコンバータ７は電圧監視回路１およびフォトカプラ２を介してデジタルトランジスタ５に接続されている。電圧監視回路１は、ＤＣ／ＤＣコンバータ７の出力電圧により過電圧、電圧低下などの異常を検出する。抵抗器４はフォトカプラ２を動作するための電流を供給する。ＬＥＤ３はフォトカプラ２の両端に接続され、フォトカプラ２がオープン時に抵抗器４から電流が供給され異常を表示する。トランジスタ６は電源オフを指示するマスク信号の出力であり電源ユニット以外に配置される。トランジスタ６はフォトカプラ２、ＬＥＤ３、およびデジタルトランジスタ５に共通で接続される。
【００１３】
このように構成された電源故障表示装置の動作について説明する。  
まず、電圧監視回路１が正常を検出した場合、フォトカプラ２の出力がショートになり抵抗器４からの電流がフォトカプラ２に流れる。このためＬＥＤ３は消灯（正常）となる。さらにデジタルトランジスタ５もオフとなり正常を通知する。
【００１４】
電圧監視回路１が異常を検出した場合、フォトカプラ２の出力がオープンになり抵抗器４からの電流はＬＥＤ３に流れ異常を表示する。さらにデジタルトランジスタ５に電流が流れオンとなり外部に異常を通知する。
【００１５】
電源オフを指示するマスク信号が供給されると、トランジスタ６がオンとなるため、フォトカプラ２の出力がオープンであっても抵抗器４からの電流はトランジスタ６に流れる。この動作により、ＬＥＤ３には電流が流れず消灯（正常）となる。さらにデジタルトランジスタ５もオフとなり正常を通知する。
【００１６】
以上述べたように上記実施形態によれば、電圧監視回路１が正常を検知した場合にはＬＥＤ３及びデジタルトランジスタ５に電流が流れないため、ＬＥＤ３は消灯し、デジタルトランジスタ５による故障通知は行われない。一方、電圧監視回路１が異常を検知した場合にはＬＥＤ３及びデジタルトランジスタ５に電流が流れるため、ＬＥＤ３は発光し、デジタルトランジスタ５は電源異常を外部に通知する。さらに、マスク信号に応じてトランジスタ６がオンとなった場合には、フォトカプラ２の出力がオープンであってもＬＥＤ３及びデジタルトランジスタ５には電流が流れないため、正常が通知される。このように構成することより、少ない部品で故障の表示、故障の通知、及び異常のマスクを行うことが可能となる。
【００１７】
したがって上記実施形態によれば、簡易な構成で的確に電源故障を知らせることができる電源故障表示装置を提供することができる。
【００１８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００１９】
【図１】この発明の一実施形態に係る電源故障表示装置の構成を示す回路図。
【符号の説明】
【００２０】
１…電圧監視回路、２…フォトカプラ、３…ＬＥＤ、４…抵抗器、５…デジタルトランジスタ、６…トランジスタ、７…ＤＣ／ＤＣコンバータ。
【図１】
2009112074.tif 000003